(57)【要約】【課題】携帯型コンピュータにバッテリを取り付けても、その冷却が妨げられないようにする。【解決手段】携帯型コンピュータ電源システム（１０）は、携帯型コンピュータ（１４）の第１の気流通気穴と共に気流経路を提供する第２の気流通気穴を備える外部バッテリ（１２）を有する。【選択図】図１
2006164274.tif 000002
【特許請求の範囲】
【請求項１】
携帯型コンピュータの第１の気流通気穴内を通る気流経路を提供する外部バッテリハウジングを有することを特徴とする携帯型コンピュータ電源システム。
【請求項２】
前記外部バッテリハウジングが、前記携帯型コンピュータの前記第１の気流通気穴の位置と一致するように構成された第２の気流通気穴を有することを特徴とする請求項１に記載のシステム。
【請求項３】
前記外部バッテリハウジングが、前記携帯型コンピュータの前記第１の気流通気穴と少なくとも部分的に一致するように構成された第２の気流通気穴を有することを特徴とする請求項１に記載のシステム。
【請求項４】
前記第１の気流通気穴の少なくとも一部分が、前記携帯型コンピュータの底面に配置されることを特徴とする請求項１に記載のシステム。
【請求項５】
前記外部バッテリハウジングが、前記携帯型コンピュータの底面に結合されるように構成されることを特徴とする請求項１に記載のシステム。
【請求項６】
前記外部バッテリハウジングが、前記外部バッテリハウジングを通って前記携帯型コンピュータの前記第１の気流通気穴に延びる気流経路を形成することを特徴とする請求項１に記載のシステム。
【請求項７】
前記外部バッテリハウジングが、前記外部バッテリハウジングの少なくとも２つの異なる面に延びる第２の気流通気穴を有することを特徴とする請求項１に記載のシステム。
【請求項８】
前記外部バッテリハウジングが、前記外部バッテリハウジングの側面から前記携帯型コンピュータの前記第１の気流通気穴の位置に一致する前記外部バッテリハウジングの面に延在する第２の気流通気穴を有することを特徴とする請求項１に記載のシステム。
【請求項９】
前記外部バッテリハウジングが、前記外部バッテリハウジングの側面から前記携帯型コンピュータの側面領域に延在する気流経路を形成するように構成されたことを特徴とする請求項１に記載のシステム。
【請求項１０】
前記外部バッテリハウジングが、前記外部バッテリハウジングの側面から前記携帯型コンピュータの底面に延びる気流経路を形成するように構成されたことを特徴とする請求項１に記載のシステム。
【発明の詳細な説明】
【技術分野】
【０００１】
本発明は、携帯型コンピュータ電源システムに関する。
【背景技術】
【０００２】
携帯型コンピュータ装置の機能が高くなると、一般的には携帯型コンピュータ装置の所要電力も増える。その結果、携帯型コンピュータ装置の適切な連続する動作を維持するために、携帯型コンピュータ装置の電子構成要素から生成された熱エネルギーを放散することが一般的に必要である。例えば、携帯型コンピュータ装置は、一般に、プロセッサや他のタイプの電子部品に関連した通気穴を有し、この通気穴が熱エネルギーの放散を可能にしている。
【発明の開示】
【発明が解決しようとする課題】
【０００３】
しかしながら、携帯型コンピュータ装置の表面積は限られているので、携帯型コンピュータ装置にバッテリや他のタイプの装置を配置したり取り付けたりすることにより、携帯型コンピュータ装置の冷却が妨げられたり邪魔されたりすることがある。本発明は、このような技術的課題を解決することを目的とする。
【課題を解決するための手段】
【０００４】
本発明は、携帯型コンピュータの第１の気流通気穴内を通る気流経路を提供する外部バッテリハウジングを有することを特徴とする携帯型コンピュータ電源システムを提供する。
【発明を実施するための最良の形態】
【０００５】
次に、本発明及び本発明の利点をより完全に理解するために、添付図面と共に以下の説明を行う。
【０００６】
本発明の好ましい実施形態及び本発明の利点は、図面の図１〜図３を参照することにより最もよく理解される。それぞれの図面の同じ部分及び対応する部分には、同じ符号が用いられる。
【０００７】
図１は、本発明による携帯型コンピュータ電源システム１０の一実施形態を示す図である。図１に示した実施形態において、携帯型コンピュータ電源システム１０は、携帯型コンピュータ１４に結合された外部バッテリ１２を有する。図１に示した実施形態において、携帯型コンピュータ１４は、ラップトップ型またはノートブック型コンピュータ１６である。しかしながら、携帯型コンピュータ１４が他のタイプの携帯型コンピュータ装置であってもよいことが理解されるべきである。
【０００８】
図２は、本発明の一実施形態による携帯型コンピュータ１４の側面部分と底面部分とを表す等角図である。図２に示した実施形態において、携帯型コンピュータ１４は、携帯型コンピュータ１４によってベース部材２６内に生成された熱エネルギーを能動的および／または受動的方法によって（例えば、対流および／またはファンで生成した気流によって）放散できるようにするために、携帯型コンピュータ１４のベース部材２６を通る、一般的に矢印２８で示される気流経路を提供する気流通気穴２０、２２を備える。例えば、図２に示した実施形態において、気流通気穴２０（第１の気流通気穴）は、携帯型コンピュータ１４の底面３０（例えば、机やテーブルなどの支持面の方に向いている又は対向する携帯型コンピュータ１４の面）に配置され、気流通気穴２２は、ベース部材２６の側面または外側側面３２に配置される。しかしながら、気流通気穴２２がベース部材２６のどこか他の場所（例えば、ベース部材２６の背面または後面）に配置されてもよいことが理解されるべきである。本明細書で使用されるとき、携帯型コンピュータ１４に対する「横」位置または側面とは、図１の符号３６および／または符号３８で一般的に示した位置または側面を指す。図２を参照すると、気流通気穴２０と２２とはそれぞれ、複数の離間された細長い開口すなわちアパーチャ４０と４２とから構成される。しかしながら、気流通気穴２０および／または気流通気穴２２が異なる構成であってもよいことを理解されるべきである。さらに、図２に示した実施形態においては、気流通気穴２０が吸気通気穴を構成し、気流通気穴２２が排出通気穴を構成することによって、矢印２８によって示したように、ベース部材２６を通過する気流経路が、気流通気穴２０を通ってベース部材２６に入り気流通気穴２２を通ってベース部材２６から排出されている。しかしながら、ベース部材２６を通る気流の方向が異なってもよいことを理解されるべきである。
【０００９】
図３は、本発明の一実施形態による外部バッテリ１２の一部分を示す図である。図３に示した実施形態において、外部バッテリ１２は、一般的に矢印５２で示したバッテリハウジング４４（外部バッテリハウジング）の少なくとも一部分を通る気流経路を形成する気流通気穴５０（第２の気流通気穴）が配置されたバッテリハウジング４４から構成される。例えば、図３に示した実施形態において、気流通気穴５０は、気流がバッテリハウジング４４の少なくとも一部分を通過できるようにするための複数の離間した細長い開口またはアパーチャ５４から構成される。しかしながら、気流通気穴５０が、異なる構成であってもよいことを理解されるべきである。
【００１０】
図１〜図３を参照すると、運転中において、外部バッテリ１２は、外部バッテリ１２が携帯型コンピュータ１４に取り付けられているときに、気流通気穴２０、２２を通って携帯型コンピュータ１４内を気流が通過することを可能にするように構成される。例えば、運転中において、気流通気穴５０は、携帯型コンピュータ１４に配置された気流通気穴２０の位置および／または形状と少なくとも部分的に一致または対応するようにバッテリハウジング４４上に構成かつ／または配置される。気流通気穴５０がこのように構成又は配置されることにより、外部バッテリ１２が携帯型コンピュータ１４に組み込まれるかまたは取り付けられたときに、気流通気穴５０と気流通気穴２０とが少なくとも部分的に位置合わせされる。このことにより、外部バッテリ１２が携帯型コンピュータ１４に取り付けられることで、従来は覆われるかまたは妨げられていた気流通気穴２０により（例えば、気流通気穴５０によって）ベース部材２６内に気流経路を通すことができる。例えば、図３に最もよく示したように、少なくとも気流通気穴５０の一部分である部分６０は、外部バッテリ１２が携帯型コンピュータ１４に取り付けられ又は固定されたときに（例えば、携帯型コンピュータ１４の底面３０に少なくとも部分的に結合された）ときに、携帯型コンピュータ１４の底面３０と少なくとも部分的に隣り合うかまたは向かい合って配置されるように構成されて、バッテリハウジング４４の上面６２に配置される。さらに、図３に示した実施形態において、少なくとも気流通気穴５０の一部分である部分６４は、外部バッテリ１２が携帯型コンピュータ１４に取り付けられるか又は固定されたときに、バッテリハウジング４４の側面または外側面６６に配置されているかあるいは延在している。
【００１１】
したがって、図１〜図３を参照すると、運転中において、外部バッテリ１２が携帯型コンピュータ１４に取り付けられるかあるいは固定されたとき、外部バッテリ１２の気流通気穴５０は、携帯型コンピュータ１４の気流通気穴２０と少なくとも部分的に重なるように構成されており、このことによって、バッテリハウジング４４を介して携帯型コンピュータ１４を通る気流経路が可能になる。例えば、運転中において、外部バッテリ１２が携帯型コンピュータ１４に取り付けられるかあるいは固定されたとき、気流通気穴５０のアパーチャ５４の部分６０が、少なくとも部分的に気流通気穴２０のアパーチャ４０と重なるように配置される。さらに、気流通気穴５０がバッテリハウジング４４の側面または外側面６６上に少なくとも部分的に延在しているので、気流通気穴５０は、携帯型コンピュータ１４の側面領域または横領域から気流通気穴２０までの気流経路を提供する。図３に示した本発明の実施形態において、気流通気穴５０は、バッテリハウジング４４の上面６２から外側面６６に延在するアパーチャ５４を有するように構成されている。しかしながら、気流通気穴５０が異なる構成であってもよいことが理解されるべきである。例えば、本発明の他の実施形態において、気流通気穴５０は、複数の個別の通気穴または離れた通気穴（例えば、上面６２から外側面６４に渡って連続したアパーチャ５４によって形成されるかあるいは接続された部分６０と部分６４とではなくて、外側面６６に配置された気流通気穴と分離する上面６２に配置された気流通気穴）を使用する構成であってもよい。さらに、図３に示した本発明の実施形態においては、気流通気穴５０は、外部バッテリ１２が携帯型コンピュータ１４に取り付けられるかあるいは固定されたときに、携帯型コンピュータ１４の側面領域または横領域の方に延在しているように示されている。しかしながら、気流通気穴５０が、携帯型コンピュータ１４に対して異なる位置または領域（例えば、バッテリハウジング４４の背面または後面）に延在するように構成されてもよいことが理解されるべきである。さらに、図３に示した本発明の実施形態においては、図３の矢印５２で示した気流経路の方向は、図２の矢印２８で示した気流経路の方向に対応している。しかしながら、外部バッテリ１２内を通る気流経路の方向が、携帯型コンピュータ１４内を通る気流経路の方向に対応する別の構成であってもよいことが理解されるべきである。
【００１２】
したがって、本発明の実施形態では、外部バッテリ１２が携帯型コンピュータ１４に取り付けられるか固定されている間に、携帯型コンピュータ１４に配置された気流通気穴２０、２２と共にバッテリハウジング４４を通過する気流経路を形成することによって、携帯型コンピュータ１４のベース部材２６からの熱エネルギーの放散が可能になる。
【図面の簡単な説明】
【００１３】
【図１】本発明による携帯型コンピュータ電源システムの一実施形態を示す図である。
【図２】本発明の利点を生かすために使用される携帯型コンピュータ電源システムの一実施形態における携帯型コンピュータの側部と底部との等角図である。
【図３】本発明による携帯型コンピュータ電源システムの外部バッテリの一実施形態を示す図である。
【符号の説明】
【００１４】
１０  携帯型コンピュータ電源システム
１４  携帯型コンピュータ
２０  気流通気穴（第１の気流通気穴）
５０  気流通気穴（第２の気流通気穴）
４４  バッテリハウジング（外部バッテリハウジング）
【図１】
2006164274.tif 000003
【図２】
2006164274.tif 000004
【図３】
2006164274.tif 000005